(57)【要約】      （修正有）【課題】測定準備の作業量を軽減することができる骨密度測定装置を提供する。【解決手段】測定対象者の一方の前腕の骨密度を測定する骨密度測定装置１であって、Ｘ線発生部２１と、Ｘ線発生部２１に対向する位置に設けられて、Ｘ線量を検出するＸ線検出部２２と、Ｘ線発生部２１及びＸ線検出部２２を制御し、Ｘ線検出部２２から出力される検出結果から骨密度を測定する制御部と、Ｘ線発生部２１とＸ線検出部２２との間に設けられた前腕配置面４と、一方の前腕が前腕配置面４に配置された状態で、一方の前腕の手によって把持されるグリップ１０と、を備え、グリップ１０は、前腕配置面４の左前腕測定用の位置及び右前腕測定用の位置に着脱可能である。【選択図】図１
0003188888.tif 000002
【実用新案登録請求の範囲】
【請求項１】
測定対象者の一方の前腕の骨密度を測定する骨密度測定装置であって、
Ｘ線発生部と、
前記Ｘ線発生部に対向する位置に設けられて、Ｘ線量を検出するＸ線検出部と、
前記Ｘ線発生部及び前記Ｘ線検出部を制御し、前記Ｘ線検出部から出力される検出結果から骨密度を測定する制御部と、
前記Ｘ線発生部と前記Ｘ線検出部との間に設けられた前腕配置面と、
前記一方の前腕が前記前腕配置面に配置された状態で、前記一方の前腕の手によって把持されるグリップと、を備え、
前記グリップは、
前記前腕配置面の左前腕測定用の位置及び右前腕測定用の位置に着脱可能である
骨密度測定装置。
【請求項２】
前記グリップが装着されている位置を検出するグリップ検出部を、さらに備える
請求項１に記載の骨密度測定装置。
【請求項３】
前記制御部は、前記検出結果から前記一方の前腕の橈骨と尺骨との間隔を測定し、前記間隔が予め定められた所定の値となる位置に基づいて骨密度測定部位を決定する
請求項１又は２に記載の骨密度測定装置。
【請求項４】
前記グリップは、前記前腕配置面に対して鈍角をなす傾斜面を備える
請求項１〜３のいずれか１項に記載の骨密度測定装置。
【請求項５】
前記前腕配置面は、鉛直方向に対して傾斜させて設けられる
請求項１〜４のいずれか１項に記載の骨密度測定装置。
【考案の詳細な説明】
【技術分野】
【０００１】
本考案は、骨密度測定装置に関し、特に、前腕の骨密度を測定する骨密度測定装置に関する。
【背景技術】
【０００２】
骨密度測定装置は、人体の骨中に含有されるカルシウム等の骨塩量を測定する装置であり、例えば、骨粗鬆症の診断に利用される。骨密度測定装置の一つとして、前腕の橈骨を測定対象部位とする骨密度測定装置が提案されている（特許文献１参照）。
【先行技術文献】
【特許文献】
【０００３】
【特許文献１】特開２００８−２２９５８号公報
【考案の概要】
【考案が解決しようとする課題】
【０００４】
特許文献１に記載された骨密度測定装置においては、測定対象とする橈骨の部位を、尺骨茎状突起から前腕長の１／３の位置としている。ここで、前腕長は、尺骨茎状突起から肘頭までの長さで定義される。したがって、骨密度測定の際には、Ｘ線データの取得とともに、前腕長の測定も行う必要がある。そこで、特許文献１に記載された発明においては、配置台上に前腕を置いた状態で当該前腕の手によってグリップを握らせ、肘当てが当該前腕の肘に当たるように位置調整される。そして、肘当ての位置情報を用いて前腕長が測定される。そのため、特許文献１に記載された発明においては、グリップと肘当てとの間の距離を、各測定対象者の前腕長に合わせて調整するという準備作業が必要である。
【０００５】
また、骨密度測定では、通常、非利き腕の橈骨が測定対象とされるため、測定対象者によって、測定対象の腕が異なる。そのため、特許文献１に記載された発明においては、右前腕を測定する場合と、左前腕を測定する場合とで、肘当て及びグリップの二つの部品の位置を置き換える作業が必要である。
【０００６】
本考案は、このような状況に鑑みてなされたものであり、測定準備の作業量を軽減することができる骨密度測定装置を提供することを目的とする。
【課題を解決するための手段】
【０００７】
上記目的を達成するために、本考案に係る骨密度測定装置の一態様は、測定対象者の一方の前腕の骨密度を測定する骨密度測定装置であって、Ｘ線発生部と、前記Ｘ線発生部に対向する位置に設けられて、Ｘ線量を検出するＸ線検出部と、前記Ｘ線発生部及び前記Ｘ線検出部を制御し、前記Ｘ線検出部から出力される検出結果から骨密度を測定する制御部と、前記Ｘ線発生部と前記Ｘ線検出部との間に設けられた前腕配置面と、前記一方の前腕が前記前腕配置面に配置された状態で、前記一方の前腕の手によって把持されるグリップと、を備え、前記グリップは、前記前腕配置面の左前腕測定用の位置及び右前腕測定用の位置に着脱可能である。
【０００８】
また、本考案に係る骨密度測定装置の一態様において、前記グリップが装着されている位置を検出するグリップ検出部を、さらに備える構成としてもよい。
【０００９】
また、本考案に係る骨密度測定装置の一態様において、前記制御部は、前記検出結果から前記一方の前腕の橈骨と尺骨との間隔を測定し、前記間隔が予め定められた所定の値となる位置に基づいて骨密度測定部位を決定する構成としてもよい。
【００１０】
また、本考案に係る骨密度測定装置の一態様において、前記グリップは、前記前腕配置面に対して鈍角をなす傾斜面を備える構成としてもよい。
【００１１】
また、本考案に係る骨密度測定装置の一態様において、前記前腕配置面は、鉛直方向に対して傾斜させて設けられる構成としてもよい。
【考案の効果】
【００１２】
本考案により、測定準備の作業量を軽減することができる骨密度測定装置を提供することができる。
【図面の簡単な説明】
【００１３】
【図１】図１は、本実施の形態の骨密度測定装置の外観を示す上面図である。
【図２】図２は、本実施の形態の骨密度測定装置の外観を示す側面図である。
【図３】図３は、本実施の形態の骨密度測定装置のグリップの外観を示す図である。
【図４】図４は、本実施の形態の骨密度測定装置に測定対象者の左前腕を配置した状態の外観を示す上面図である。
【図５】図５は、骨密度測定装置の機能構成の概要を示すブロック図である。
【図６】図６は、骨密度測定装置によって取得されるＸ線画像の概要を示す概略図である。
【図７】図７は、本実施の形態の骨密度測定装置に測定対象者の右前腕を配置した状態の外観を示す上面図である。
【考案を実施するための形態】
【００１４】
以下、本考案の実施の形態について、図面を用いて詳細に説明する。なお、以下で説明する実施の形態は、いずれも本考案の好ましい一具体例を示すものである。以下の実施の形態で示される数値、形状、材料、構成要素、構成要素の配置位置及び接続形態などは、一例であり、本考案を限定する主旨ではない。また、以下の実施の形態における構成要素のうち、本考案の最上位概念を示す独立請求項に記載されていない構成要素については、より好ましい形態を構成する任意の構成要素として説明される。
【００１５】
なお、同一の構成要素には同一の符号を付し、説明を省略する場合がある。
【００１６】
（実施の形態）
［１．構成要素］
最初に、本考案の実施の形態の骨密度装置の主な構成要素の概要について、図１〜４を用いて説明する。図１は、本実施の形態の骨密度測定装置の外観を示す上面図である。図２は、本実施の形態の骨密度測定装置の外観を示す側面図である。図３は、本実施の形態の骨密度測定装置のグリップの外観を示す図である。図４は、本実施の形態の骨密度測定装置に測定対象者の左前腕を配置した状態の外観を示す上面図である。
【００１７】
図１、図２及び図４に示されるように、骨密度測定装置１は、本体部２及びグリップ１０を備える。
【００１８】
図１、図２及び図４に示される本体部２は、Ｘ線を出射するＸ線出射面３、測定対象者の前腕３０が配置される前腕配置面４、グリップ１０を装着するための二つのグリップ装着溝５ａ及び５ｂ、グリップ１０の位置を検出するために使用される二つの凹部６ａ及び６ｂ、並びに、本体部２を移動可能に支持する四つのキャスタ７を備える。
【００１９】
図１〜４に示されるグリップ１０は、測定対象者の一方の前腕３０が前腕配置面４に配置された状態で、前腕３０の手によって把持される把持部材であり、左前腕測定用の位置及び右前腕測定用の位置に着脱可能である。なお、図１、図２及び図４は、グリップ１０が、本体部２の左前腕測定用の位置に装着された状態の骨密度測定装置の外観を示す。グリップ１０は、グリップ１０が装着された位置を検出するために使用される二つの突起部１１ａ及び１１ｂ、グリップ１０を本体部２に装着するための装着部１２、並びに、傾斜面１３を備える。
【００２０】
本体部２のＸ線出射面３は、本体部２からＸ線が出射される面である。Ｘ線出射面３の内部には、図１、２に示されるように、Ｘ線発生部２１が備えられ、Ｘ線発生部２１から出射されたＸ線が、Ｘ線出射面３を透過して、本体部２の外部に出射される。
【００２１】
本体部２の前腕配置面４は、測定対象者の前腕３０が配置される面であり、Ｘ線出射面３に対向する位置に設けられる。図１、２に示されるように、前腕配置面４の内部には、Ｘ線検出部２２が備えられる。測定時には、図４に示されるように前腕３０が前腕配置面４に配置された状態でＸ線がＸ線出射面３から出射される。そして、Ｘ線出射面３から出射されたＸ線のうちＸ線検出部２２に到達したＸ線だけが検出される。また、前腕配置面４は、図２に示されるように、鉛直方向に対してゆるやかに傾斜させて設けられている。これにより、測定対象者の前腕３０が測定対象者の胸の前に来るように、腕を自然に折り曲げた形で、前腕３０を前腕配置面４に配置することができる。したがって、測定対象者が測定の際、不自然な姿勢を強いられることがないため、測定対象者の負担が軽減される。測定対象者の負担をさらに軽減するために、前腕配置面４の傾斜角度を、５〜３０度の範囲内としてもよい。
【００２２】
本体部２のグリップ装着溝５ａ及び５ｂは、グリップ１０を装着するための溝であり、グリップ１０の装着部１２を挿入することができる形状を有する。グリップ装着溝５ａ及び５ｂは、それぞれ、左前腕測定用の位置及び右前腕測定用の位置に対応する。
【００２３】
本体部２の凹部６ａ及び６ｂは、グリップ１０の装着位置を検出するために使用される部位である。グリップ１０を本体部２に装着する際、左前腕測定用の位置に装着する場合には、グリップ１０の突起部１１ａが凹部６ａに挿入され、右前腕測定用の位置に装着する場合には、グリップ１０の突起部１１ｂが凹部６ｂに挿入される。
【００２４】
本体部２の四つのキャスタ７は、本体部２を水平方向に移動可能に支持する部材であり、本体部２の底部に設けられている。キャスタ７は、本体部２の水平方向の位置を固定するための固定機能を備えていてもよい。
【００２５】
グリップ１０の突起部１１ａ及び１１ｂは、それぞれ、本体部２の凹部６ａ及び６ｂに挿入されて、グリップ１０の装着位置を検出するために使用される部位である。本実施の形態においては、突起部１１ａ及び１１ｂの内部に、鉄製部材が備えられる構成例を示す。
【００２６】
グリップ１０の装着部１２は、グリップ１０を本体部２に装着するための部位である。装着部１２は、本体部２のグリップ装着溝５ａ又は５ｂに装着される。
【００２７】
グリップ１０の傾斜面１３は、測定対象の前腕３０の手の平を配置して、前腕３０の位置決めを行うための面であり、前腕配置面４に対して鈍角をなす。ここで、傾斜面１３と前腕配置面４とがなす角とは、前腕配置面４と傾斜面１３とによって形成される角のうち、前腕３０が配置される側の角とする。測定対象者は、傾斜面１３に手の平を配置して、グリップ１０を把持することで、自然に、測定に適した位置に前腕３０を位置決めすることができる。測定対象者がより自然に傾斜面１３に手の平を配置できるようにするために、前腕配置面４と傾斜面１３とがなす角を、１３０〜１６０度の範囲内としてもよい。
【００２８】
［２．機能構成］
次に、本実施の形態の機能構成について、図５を用いて説明する。図５は、骨密度測定装置１の本体部２における機能構成の概要を示すブロック図である。
【００２９】
図５に示されるように、骨密度測定装置１の本体部２は、機能的には、主に、Ｘ線発生部２１、Ｘ線検出部２２、グリップ検出部２３、ブラケット駆動部２４、制御部２５及び外部インタフェース２６を備える。また、図５には、Ｘ線発生部２１及びＸ線検出部２２が取り付けられる部材であるブラケット４０も示される。
【００３０】
図５に示されるＸ線発生部２１は、前腕配置面４に向けてＸ線を出射するＸ線源である。Ｘ線発生部２１の構成は特に限定されないが、本実施の形態においては、Ｘ線発生部２１として、鉛直方向に沿ったファンビーム状のＸ線を出射するＸ線管が使用される例を示す。
【００３１】
図５に示されるＸ線検出部２２は、Ｘ線発生部２１に対向する位置に設けられて、Ｘ線量を検出する検出部である。Ｘ線検出部２２の構成は特に限定されないが、本実施の形態においては、Ｘ線検出部２２として、フォトダイオードアレイが使用される例を示す。フォトダイオードアレイは、Ｘ線発生部２１から出射されるファンビーム状のＸ線と前腕配置面４とが交わる線に沿った方向に、複数のフォトダイオードが並ぶ状態で配置される。
【００３２】
図５に示されるグリップ検出部２３は、グリップ１０の装着位置を検出する検出部である。グリップ検出部２３は、本体部２の凹部６ａ又は６ｂに挿入されたグリップ１０の突起部１１ａ又は１１ｂを検出することによって、グリップ１０の装着位置を検出する。グリップ検出部２３は、金属が接近したことを検出する近接センサを、凹部６ａ及び６ｂのそれぞれの近傍に一つずつ備える。また、グリップ１０の突起部１１ａ及び１１ｂの内部には、上述のとおり鉄製部材が備えられている。グリップ検出部２３及びグリップ１０が以上に述べたように構成されるため、グリップ検出部２３は、凹部６ａ又は６ｂ近傍の近接センサに、突起部１１ａ又は１１ｂの内部に備えられた鉄製部材の接近を検出させることによって、グリップ１０の装着位置を検出することができる。
【００３３】
図５に示されるブラケット駆動部２４は、Ｘ線発生部２１及びＸ線検出部２２が取り付けられたブラケット４０を、本体部２の内部において、前腕配置面４に沿って水平方向に移動させるための駆動部である。Ｘ線発生部２１にファンビーム状のＸ線を出射させながら、ブラケット４０を移動させて、Ｘ線検出部２２が備えるフォトダイオードアレイによってＸ線を検出させることにより、二次元のＸ線画像が得られる。
【００３４】
図５に示される制御部２５は、Ｘ線発生部２１、Ｘ線検出部２２及びブラケット駆動部２４を制御し、Ｘ線検出部２２から出力される検出結果及びグリップ検出部２３から出力されるグリップ１０の装着位置情報を用いて、骨密度を測定する処理部である。
【００３５】
図５に示される外部インタフェース（外部Ｉ／Ｆ）２６は、骨密度測定装置１と外部機器とを接続するために使用されるインタフェースである。外部インタフェース２６には、ケーブル等を介して、例えばＰＣ（Ｐｅｒｓｏｎａｌ  Ｃｏｍｐｕｔｅｒ）等が接続される。骨密度測定装置１は、外部インタフェース２６を介して、ＰＣ等との間で、Ｘ線検出情報、制御信号等の信号を送受信することができる。例えば、骨密度測定装置１に接続されたＰＣから、制御部２５に信号を送信して、骨密度測定装置１の動作をＰＣから制御することができる。
【００３６】
［３．測定方法及び測定手順］
次に、以上で説明されたような構成を備える本実施の形態の骨密度測定装置１において、骨密度を測定する方法及び手順について、図４〜７を用いて説明する。図６は、骨密度測定装置１によって取得されるＸ線画像の概要を示す概略図である。図７は、本実施の形態の骨密度測定装置１に測定対象者の右前腕を配置した状態の外観を示す上面図である。
【００３７】
まず、図４に示されるように、前腕３０が本体部２の前腕配置面４に配置され、前腕３０の手によってグリップ１０が把持される状態で、前腕３０が位置決めされる。
【００３８】
次に、図５に示される制御部２５は、前腕３０のＸ線画像を得るために、Ｘ線発生部２１にファンビーム状のＸ線を出射させながら、ブラケット４０を移動させて、Ｘ線検出部２２が備えるフォトダイオードアレイによってＸ線を検出する。ここで、Ｘ線検出部２２のフォトダイオードアレイが検出したＸ線検出データに基づいて、制御部２５は、図６に示されるようなＸ線画像データを得る。Ｘ線画像データから、前腕３０の橈骨３１、尺骨３２及び手根骨３３の輪郭の一部及び各部位におけるＸ線透過率が得られる。
【００３９】
制御部２５は、図６に示されるようなＸ線画像を得ると、橈骨３１と尺骨３２との間隔が、例えば８ｍｍとなる手根骨付近の位置を求める。ここで、橈骨３１と尺骨３２との間隔とは、橈骨３１の長手方向に略垂直な断面における、橈骨３１と尺骨３２との間隔である（図６参照）。そして、その位置から肘側に、例えば２４ｍｍ離れた位置までの範囲内における橈骨３１のＸ線透過率から、骨密度を測定する。ここで、制御部２５は、グリップ検出部２３から出力されるグリップ１０の装着位置情報を用いることで、左右どちらの前腕３０を測定したＸ線画像であるかを検知することができる。したがって、制御部２５は、Ｘ線画像において、橈骨３１の両端部のどちらが手根骨側かを、グリップ１０の装着位置情報によって検知することができるため、骨密度測定部位の特定を迅速かつ確実に行うことができる。
【００４０】
以上のように、本実施の形態の骨密度測定装置１においては、橈骨３１と尺骨３２との間隔を測定し、その間隔が予め定められた所定の値となる位置に基づいて骨密度測定部位を決定する構成を採用しているため、前腕長を測定する必要がない。つまり、前腕長を測定するための肘当てを設ける必要がない。したがって、本実施の形態の骨密度測定装置１における測定の準備作業は、測定対象者の非利き腕に合わせて、本体部２のグリップ装着溝５ａ又は５ｂに、グリップ１０の装着部１２を装着して、測定対象者の非利き腕の前腕３０を前腕配置面４に配置することだけである。
【００４１】
また、図７に示されるように、測定対象者の右前腕を測定する場合には、グリップ１０の突起部１１ａが本体部２の上面側となるように（すなわち、突起部１１ｂが、凹部６ｂに挿入されるように）、グリップ１０が本体部２に装着される。この場合、グリップ検出部２３は、凹部６ｂ近傍の近接センサによって、グリップ１０が右前腕測定用の位置に装着されたことを検出する。また、右前腕を測定する場合のその他の測定方法及び測定手順については、左前腕を測定する場合と同様である。
【００４２】
［４．効果等］
上述したように、本実施の形態の骨密度測定装置１は、Ｘ線発生部２１と、Ｘ線発生部２１に対向する位置に設けられて、Ｘ線量を検出するＸ線検出部２２と、Ｘ線発生部２１及びＸ線検出部２２を制御し、Ｘ線検出部２２から出力される検出結果から骨密度を測定する制御部２５と、Ｘ線発生部２１とＸ線検出部２２との間に設けられた前腕配置面４と、前腕３０が前腕配置面４に配置された状態で、前腕３０の手によって把持されるグリップ１０と、を備え、グリップ１０は、前腕配置面４の左前腕測定用の位置及び右前腕測定用の位置に着脱可能である。これによれば、骨密度測定装置１における測定の準備作業は、グリップ１０を測定対象者の非利き腕に合わせて装着し、前腕３０を配置することだけである。すなわち、本実施の形態の骨密度測定装置１によれば、肘当て等の他の部品を配置・調整する作業が不要となるため、測定準備の作業量が軽減される。
【００４３】
また、本実施の形態の骨密度測定装置１は、グリップ１０が装着されている位置を検出するグリップ検出部２３をさらに備える。これにより、制御部２５は、Ｘ線検出部２２の検出結果から得られたＸ線画像が、左右どちらの前腕を測定したＸ線画像であるかを検知することができる。
【００４４】
また、本実施の形態の骨密度測定装置１において、制御部２５は、Ｘ線検出部２２から出力される検出結果から前腕３０の橈骨３１と尺骨３２との間隔を測定し、当該間隔が予め定められた所定の値となる位置に基づいて骨密度測定部位を決定する。これによれば、前腕長を測定することなしに骨密度測定部位を決定できる。したがって、本実施の形態の骨密度測定装置１においては、前腕長を測定するための肘当ての位置調整等の作業が不要となる。
【００４５】
また、本実施の形態の骨密度測定装置１において、グリップ１０は、前腕配置面４に対して鈍角をなす傾斜面１３を備える。これにより、測定対象者は、傾斜面１３に手の平を配置して、グリップ１０を把持することで、自然に、測定に適した位置に前腕３０を位置決めすることができる。
【００４６】
また、本実施の形態の骨密度測定装置１において、前腕配置面４は、鉛直方向に対して傾斜させて設けられる。これにより、測定対象者の前腕３０が測定対象者の胸の前に来るように腕を自然に折り曲げた形で、前腕３０を前腕配置面４に配置することができる。したがって、測定対象者が測定の際、不自然な姿勢を強いられることがないため、測定対象者の負担が軽減される。
【００４７】
（他の実施の形態）
本考案は、上記実施の形態に限定されず、考案の主旨を逸脱しない限り、上記した実施形態に対して当業者が思いつく範囲内の変更を施した各種変形例も本考案に含まれる。
【００４８】
例えば、上記実施の形態においては、グリップ１０は突起部１１ａ及び１１ｂの内部に鉄製部材を備えるが、鉄製部材以外の金属部材を備えてもよい。
【００４９】
また、上記実施の形態においては、グリップ１０の装着位置を検出するために近接センサを用いたが、他のセンサを用いてもよい。例えば、光学センサ等を用いることができる。
【００５０】
また、上記実施の形態においては、ファンビーム状のＸ線を発生するＸ線発生部２１及びフォトダイオードアレイを備えるＸ線検出部２２を移動させることによって、Ｘ線画像を取得したが、Ｘ線画像を取得する構成としては、これに限られない。例えば、Ｘ線発生部２１としてコーンビーム状のＸ線を発生するＸ線源を用い、Ｘ線検出部２２として二次元に配列されたフォトダイオードアレイを用いて、Ｘ線発生部２１及びＸ線検出部２２を移動させずに、測定する構成等を採用してもよい。また、Ｘ線発生部２１及びＸ線検出部２２のいずれか一方だけを移動させる構成としてもよい。
【００５１】
また、上記実施の形態においては、制御部２５において、骨密度測定を行ったが、外部インタフェース２６に接続されたＰＣ等によって、骨密度測定を行ってもよい。
【００５２】
また、上記実施の形態においては、グリップ１０の傾斜面１３の形状を特定していないが、傾斜面１３の形状は、平面状でも曲面状でもよい。曲面状の傾斜面１３の形状としては、手の平の形状にフィットする凸状の形状等を用いることができる。
【００５３】
また、上記実施の形態においては、グリップ１０を本体部２に装着して骨密度測定を行ったが、グリップ１０を本体部２から外した状態で骨密度測定を行うことができる構成としてもよい。これによれば、グリップ１０に沿って手首を曲げることが困難な測定対象者であっても、骨密度を測定することができる。また、この場合、外部から骨密度測定装置１に、どちらの前腕で測定を行うかを入力することができる構成としてもよい。
【産業上の利用可能性】
【００５４】
本考案は、前腕の骨密度を測定する骨密度測定装置に利用することができる。
【符号の説明】
【００５５】
１  骨密度測定装置
２  本体部
３  Ｘ線出射面
４  前腕配置面
５ａ、５ｂ  グリップ装着溝
６ａ、６ｂ  凹部
７  キャスタ
１０  グリップ
１１ａ、１１ｂ  突起部
１２  装着部
１３  傾斜面
２１  Ｘ線発生部
２２  Ｘ線検出部
２３  グリップ検出部
２４  ブラケット駆動部
２５  制御部
２６  外部インタフェース
３０  前腕
３１  橈骨
３２  尺骨
３３  手根骨
４０  ブラケット
【図１】
0003188888.tif 000003
【図２】
0003188888.tif 000004
【図３】
0003188888.tif 000005
【図４】
0003188888.tif 000006
【図５】
0003188888.tif 000007
【図６】
0003188888.tif 000008
【図７】
0003188888.tif 000009